(57)【要約】【課題】空間を占用せず、携帯に便利で電子設備及び電子製品の接続が容易である、マルチメディア機能付き放熱装置の提供。【解決手段】本考案のマルチメディア機能付き放熱装置は、前記放熱装置が少なくとも殼体と、前記殼体内に分布されて配置された１つまたは１つ以上のファンと、受信端及び出力端を備えたマルチメディア装置と、複数のスロットが設けられた集線装置とを含み、前記殼体は電子設備をその上に置いて放熱を行うことができ、さらに前記マルチメディア装置の受信端がビデオ信号の受信を行い、前記電子設備でテレビチャンネルを再生することができ、そのうち、前記集線装置の複数のスロットにその他電子製品を接続することができる。【選択図】図１
0003123579.tif 000002
【実用新案登録請求の範囲】
【請求項１】
マルチメディア機能付き放熱装置であって、前記放熱装置が少なくとも殼体と、前記殼体内に分布されて配置された１つまたは１つ以上のファンと、受信端及び出力端を備えたマルチメディア装置と、複数のスロットが設けられた集線装置とを含み、前記殼体は電子設備をその上に置いて放熱を行うことができ、さらに前記マルチメディア装置の受信端がビデオ信号の受信を行い、前記電子設備でテレビチャンネルを再生することができ、そのうち、前記集線装置の複数のスロットにその他電子製品を接続することができる構成としたことを特徴とするマルチメディア機能付き放熱装置。        
【請求項２】
前記殼体が前記ファンの配置位置に対応する透過孔を備え、前記ファンが発生する風力により前記殼体の熱を前記透過孔から排出させる構成としたことを特徴とする請求項１に記載のマルチメディア機能付き放熱装置。
【請求項３】
前記殼体がさらに接続槽及び電源挿入孔を備え、前記接続槽が前記マルチメディア装置の出力端及び前記集線装置と接続され、前記電源挿入孔が前記殼体内の電力が必要な装置に接続された構成としたことを特徴とする請求項１に記載のマルチメディア機能付き放熱装置。       
【請求項４】
前記受信端が、アンテナを挿入接続してデジタルビデオ信号の受信を行うことができる構成としたことを特徴とする請求項１に記載のマルチメディア機能付き放熱装置。
【請求項５】
前記受信端が、ケーブルを挿入接続してアナログビデオ信号の受信を行うことができる構成としたことを特徴とする請求項１に記載のマルチメディア機能付き放熱装置。          
【請求項６】
前記出力端が前記マルチメディア装置を介してデコーディング／変調後のビデオ信号を前記電子設備に出力し、前記電子設備にテレビチャンネルを再生させることができる構成としたことを特徴とする請求項１に記載のマルチメディア機能付き放熱装置。
【請求項７】
前記電子設備が、ノートブックコンピュータ、ゲーム機、パーム型プレイヤー及び関連の発熱するマルチメディア設備である構成としたことを特徴とする請求項１に記載のマルチメディア機能付き放熱装置。        
【請求項８】
前記電子製品が、プリンタ、スキャナ、デジタルカメラ、ハンディ通信設備、ＰＤＡ（Ｐｅｒｓｏｎａｌ  Ｄｉｇｉｔａｌ  Ａｓｓｉｓｔａｎｔ  個人用携帯情報端末）及び関連のデジタル電子製品である構成としたことを特徴とする請求項１に記載のマルチメディア機能付き放熱装置。
【請求項９】
前記集線装置に設けたスロットが、ＵＳＢ（Ｕｎｉｖｅｒｓａｌ  Ｓｅｒｉａｌ  Ｂｕｓ  ユニバーサルシリアルバス）、音源出力、音源入力のインターフェーススロットである構成としたことを特徴とする請求項１に記載のマルチメディア機能付き放熱装置。        
【請求項１０】
前記殼体内にさらに読取装置を設け、メモリデバイスを挿入してアクセスすることができる構成としたことを特徴とする請求項１に記載のマルチメディア機能付き放熱装置。
【請求項１１】
前記メモリデバイスが、ＣＦ（Ｃｏｍｐａｃｔ  Ｆｌａｓｈ  Ｍｅｍｏｒｙ  Ｃａｒｄ：コンパクトフラッシュ（登録商標））、Ｄｕｏ−ＭＳ（Ｄｕｏ  Ｍｅｍｏｒｙ  Ｓｔｉｃｋ  Ｍｅｍｏｒｙ  Ｃａｒｄ：メモリースティックデュオ）、ＭＳ（Ｍｅｍｏｒｙ  Ｓｔｉｃｋ  Ｍｅｍｏｒｙ  Ｃａｒｄ：メモリースティック）、ＭＧＭＳ（Ｍａｇｉｃ  Ｇａｔｅ  Ｍｅｍｏｒｙ  Ｓｔｉｃｋ  Ｍｅｍｏｒｙ  Ｃａｒｄ：マジックゲートメモリースティック）、Ｍｉｎｉ  ＳＤ（Ｍｉｎｉ  Ｓｅｃｕｒｅ  Ｄｉｇｉｔａｌ  Ｍｅｍｏｒｙ  Ｃａｒｄ：ミニSDカード）、ＭＭＣ（Ｍｕｌｔｉ  Ｍｅｄｉａ  Ｍｅｍｏｒｙ  Ｃａｒｄ：マルチメディアカード）、Ｐｒｏ−ＭＳ（Ｐｒｏ  Ｍｅｍｏｒｙ  Ｓｔｉｃｋ  Ｍｅｍｏｒｙ  Ｃａｒｄ：メモリースティックプロ）、ＲＳＭＭＣ（Ｒｅｄｕｃｅｄ  Ｓｉｚｅ  Ｍｕｌｔｉ  Ｍｅｄｉａ  Ｍｅｍｏｒｙ  Ｃａｒｄ：小型マルチメディアカード）、ＳＤ（Ｓｅｃｕｒｅ  Ｄｉｇｉｔａｌ  Ｍｅｍｏｒｙ  Ｃａｒｄ：SDカード）、ＳＭ（Ｓｍａｒｔ  Ｍｅｄｉａ（登録商標）  Ｍｅｍｏｒｙ  Ｃａｒｄ：スマートメディア）、Ｔｙｐｅ−Ｉ  ＣＦ（Ｃｏｍｐａｃｔ  Ｆｌａｓｈ  Ｍｅｍｏｒｙ  Ｃａｒｄ：コンパクトフラッシュ（登録商標）タイプI）、Ｔｙｐｅ−ＩＩ  ＣＦ（Ｃｏｍｐａｃｔ  Ｆｌａｓｈ  Ｍｅｍｏｒｙ  Ｃａｒｄ：コンパクトフラッシュ（登録商標）タイプII）、Ｘｄ（ｅＸｔｒｅｍｅ  Ｄｉｇｉｔａｌ  Ｐｉｃｔｕｒｅ  Ｍｅｍｏｒｙ  Ｃａｒｄ：XDピクチャーカード）である構成としたことを特徴とする請求項１０に記載のマルチメディア機能付き放熱装置。        
【請求項１２】
前記読取装置がさらにＭＰ３プロセッサを備え、ＭＰ３ファイル形式を実行することができる構成としたことを特徴とする請求項１０に記載のマルチメディア機能付き放熱装置。
【請求項１３】
前記殼体内にさらに光ディスクドライブが設置され、前記電子設備が前記放熱装置を介して光ディスクの読取りと書き込みの動作を行うことができる構成としたことを特徴とする請求項１に記載のマルチメディア機能付き放熱装置。        
【請求項１４】
前記殼体内にさらにＩＤＥ（Ｉｎｔｅｇｒａｔｅｄ  Ｄｅｖｉｃｅ  Ｅｌｅｃｔｒｏｎｉｃｓ）インターフェースが設置され、外付けのハードドライブを挿入し接続することができ、前記電子設備が前記放熱装置を介して外付けハードディスクのアクセス動作を行うことができる構成としたことを特徴とする請求項１に記載のマルチメディア機能付き放熱装置。
【考案の詳細な説明】
【技術分野】
【０００１】
本考案はマルチメディア機能付き放熱装置に関し、詳細には、デジタル／アナログテレビ信号の再生及び集線装置機能を備えたマルチメディア機能付き放熱装置に関する。
【背景技術】
【０００２】
一般的な従来の放熱装置は、電子設備の放熱を行うことしかできず、使用者がテレビチャンネルを鑑賞したいときは、別途テレビアダプタを接続しなければならず、また使用者が電子設備を介してプリントアウト、スキャン、伝送等の動作を行いたい場合は、さらに別途集線装置を接続しなければならないため、結果的に空間を占用してしまい、また携帯時の不便さと使用時の接続の面倒さが増してしまう。
【０００３】
このため、上述の問題をいかに排除するかが本考案の解決する技術的問題点である。
【考案の開示】
【考案が解決しようとする課題】
【０００４】
本考案の目的は、空間を占用せず、携帯に便利で電子設備及び電子製品の接続が容易である、マルチメディア機能付き放熱装置を提供することにある。          
【課題を解決するための手段】
【０００５】
本考案のマルチメディア機能付き放熱装置は、前記放熱装置が少なくとも殼体と、前記殼体内に分布されて配置された１つまたは１つ以上のファンと、受信端及び出力端を備えたマルチメディア装置と、複数のスロットが設けられた集線装置とを含み、前記殼体は電子設備をその上に置いて放熱を行うことができ、さらに前記マルチメディア装置の受信端がビデオ信号の受信を行い、前記電子設備でテレビチャンネルを再生することができ、そのうち、前記集線装置の複数のスロットにその他電子製品を接続することができる。        
【考案の効果】
【０００６】
本考案の進歩性と実用性をよりはっきりと示すため、以下従来品と比較して分析する。
《従来品の欠点》
一、空間を占用してしまう。
二、携帯時に不便である。
三、使用時の接続が面倒である。
《本考案の利点》
一、大幅に空間の利用性を節約できる。
二、携帯の利便性を向上できる。
三、接続が容易である。
四、使用効率を向上する。
五、進歩性と実用性を備えている。
六、産業的競争力を向上する。        
【考案を実施するための最良の形態】
【０００７】
本考案について図面、符号及び実施例に基づき、以下詳細に説明する。本考案のマルチメディア機能付き放熱装置は、図１に示すように、放熱装置Ａが主に殼体Ｂ、ファンＣ、マルチメディア装置Ｄ及び集線装置Ｅから構成され、前記殼体Ｂ内に分布して１つまたはそれ以上のファンＣ、マルチメディア装置Ｄ及び集線装置Ｅが配置される。
【０００８】
前記殼体Ｂは前記ファンＣが配置される位置に対応する透過孔Ｂ１が開設され、且つ、前記殼体Ｂはさらに電源挿入孔Ｂ２が配置され、前記ファンＣ、マルチメディア装置Ｄ及び集線装置Ｅが接続されると共に、前記マルチメディア装置Ｄの受信端Ｄ１が殼体Ｂの片側から穿出され、出力端Ｄ２が殼体Ｂに設けられた接続槽Ｂ３に接続され、また前記集線装置Ｅはさらに複数のスロットＥ１が設けられ、且つ前記殼体Ｂの片側に配置される。
【０００９】
本考案のマルチメディア機能付き放熱装置は、図２から図５に示すように、電子設備Ｆを前記放熱装置Ａの殼体Ｂ上に設置して放熱を行い、給電装置Ｇを電源挿入孔Ｂ２に接続して放熱装置Ａの必要な電力を供給する。そのうち、前記殼体Ｂ内のマルチメディア装置Ｄは、受信端Ｄ１に接続されたアンテナＨを介してデジタルビデオ信号を受信し、さらに該信号に対しデコーディング／変調を行い、その後出力端Ｄ２から電子設備Ｆに伝送し、前記電子設備Ｆにデジタルテレビチャンネルを再生させることができる。同様に、前記受信端Ｄ１はケーブルＨ１を接続してアナログビデオ信号を受信し、電子設備Ｆにアナログテレビチャンネルを再生させることができる。
【００１０】
さらに、前記集線装置Ｅに設けた複数のスロットＥ１は、データケーブルＩと複数の電子製品Ｊを接続することで、前記電子設備Ｆに前記集線装置Ｅと複数の電子製品Ｊを介してデータ伝送を行わせることができる。
【００１１】
そのうち、前記電子設備Ｆはノートブックコンピュータ、ゲーム機、パーム型プレイヤー及び関連の発熱するマルチメディア装置とし、前記電子製品ＪはデジタルカメラＪ１、スキャナＪ２、ＰＤＡ（Ｐｅｒｓｏｎａｌ  Ｄｉｇｉｔａｌ  Ａｓｓｉｓｔａｎｔ  個人用携帯情報端末）Ｊ３、プリンタ、ハンディ通信装置及び関連のデジタル電子製品とする。
【００１２】
図６に示すように、前記殼体Ｂにはさらに読取装置Ｋが配置され、使用者がメモリデバイスＬを挿入してアクセスすることができ、また前記読取装置Ｂ上にはＭＰ３プロセッサＫ１が設置され、前記読取装置ＢにＭＰ３ファイル形式の実行処理をさせることができる。
【００１３】
図７に示すように、前記殼体Ｂはさらに光ディスクドライブＭを含み、使用者は前記放熱装置Ａを介して光ディスクの読み取りと書き込みの動作を行うことができ、また別途ＩＤＥ（Ｉｎｔｅｇｒａｔｅｄ  Ｄｅｖｉｃｅ  Ｅｌｅｃｔｒｏｎｉｃｓ）インターフェースＮを含んでもよく、使用者は外付けのハードドライブＯを殼体Ｂのレール槽Ｏ１から挿入しデータアクセスの動作を行うことができる。
【００１４】
以上で述べた説明は本考案の最良の実施例に基づくものであり、本考案の特許範囲を制限するものではなく、本考案の明細書及び図面の内容を運用した同等の効果を得る構造を直接または間接的にその他関連技術領域に運用したものはすべて本考案の要旨の範囲内に含まれるものとみなす。
【００１５】
上述のように、本考案は従来技術を打破する構造の下、確実にその増進を図る効果を達成することができ、且つ、関連技術を熟知したものでなくとも容易に理解することができ、さらに、本考案の申請以前には公開されたことがなく、その進歩性、実用性は実用新案登録出願の要件を満たしているため、法に基づきここに実用新案登録を出願するものである。
【図面の簡単な説明】
【００１６】
【図１】本考案の立体図である。
【図２】本考案の部材の配置を示すダイアグラムである。
【図３】本考案の使用時の状態を示す立体外観図１である。
【図４】本考案の使用時の状態を示す立体外観図２である。
【図５】本考案の使用時の状態を示す立体外観図３である。
【図６】本考案の使用時の状態を示す立体外観図４である。
【図７】本考案の使用時の状態を示す立体外観図５である。
【符号の説明】
【００１７】
Ａ        放熱装置      
Ｂ        殼体      
B1      透過孔
Ｂ２      電源挿入孔
Ｂ３      接続槽
Ｃ        ファン
Ｄ        マルチメディア装置
Ｄ１      受信端
Ｄ２      出力端
Ｅ        集線装置
Ｅ１      スロット
Ｆ        電子設備
Ｇ        給電装置
Ｈ        アンテナ
Ｈ１      ケーブル
Ｉ          データケーブル
Ｊ          電子製品
Ｊ１        デジタルカメラ
Ｊ２        スキャナ
Ｊ３        ＰＤＡ 
Ｋ         読取装置
Ｋ１       ＭＰ３プロセッサ
Ｌ         メモリデバイス
Ｍ        光ディスクドライブ 
Ｎ         ＩＤＥインターフェース
O         ハードドライブ
O１       レール槽
【図１】
0003123579.tif 000003
【図２】
0003123579.tif 000004
【図３】
0003123579.tif 000005
【図４】
0003123579.tif 000006
【図５】
0003123579.tif 000007
【図６】
0003123579.tif 000008
【図７】
0003123579.tif 000009